(57)【特許請求の範囲】
【請求項１】
筒状をした容器本体と、該容器本体上端の注出口に着脱自在に被着して密閉する蓋体とからなり、前記容器本体と蓋体とは段差がない滑らかな窪みをなして接合する筒状容器に形成して、前記容器本体と蓋体との周面を筒状に形成したラベルまたはカバーフィルムにより覆って一体に固定すると共に、前記ラベルまたはカバーフィルム上端の一部に突出するように形成されて、且つ、蓋体の周壁面に熱収縮により密着せしめて切断可能に形成した不正開封防止片となしたことを特徴とする不正開封防止片付き筒状容器。
【請求項２】
前記ラベルまたはカバーフィルムの破断部を、容器本体と蓋体との前記接合部に滑らかに熱収縮された前記容器本体と蓋体との接合面の窪み部分に位置するように設けてなることを特徴とする請求項１に記載する不正開封防止片付き筒状容器。
【発明の詳細な説明】
【０００１】
【発明の属する技術分野】
本発明は、筒状をした蓋付き容器を包装用フィルム材により容易に開封可能に密封包装した筒状容器やチューブ状容器に関し、更に詳しくは、容易に切断することができる不正開封防止片を備えたラベルまたはカバーフィルムにより包装された筒状容器に関するものである。
【０００２】
【従来の技術】
筒状をした容器本体の上端部に注出口が設けられ、該注出口に蓋体を着脱自在に設けて筒状容器を構成するか、または、胴部を押圧して偏平状にして絞り出し可能にした柔軟な筒状体からなる容器本体の上端部に形成した注出口に蓋体を着脱自在に設けてチューブ状容器を構成してなる容器に於いて、前記筒状容器またはチューブ状容器内に内容物を充填してから蓋体により注出口を密閉した後、前記容器本体部の外周面に商品名や成分表示、使用上の注意事項等をフィルム材その他に印刷したラベルを貼付したり、あるいは、商品名や注意事項等を印刷して筒状にしたフィルム材を容器本体部に被せて接着剤その他により固定した後、製品として出荷されている。
【０００３】
しかし、上記のように印刷したフィルム材等からなるラベルその他の包装材を、容器本体部だけに被せたものは、蓋体が容易に開封可能な状態にあるので、製品の輸送時や陳列時に蓋体が勝手に開けられて、容器内に収容されいる内容物が使用される恐れがあるが、外観からだけでは実際に開封されたかどうかの判断が困難である。
従って、この欠点を改良して、不正開封がなされたかどうかを容易に判別できるようにしたものとして、筒状の容器本体内に内容物を充填してから蓋体を密封状態に取り付けた後、蓋体及び容器本体の全周壁面をラベルやカバーフィルム等により一体に筒状に覆って脱落しないように接着剤により固定したり、あるいは、熱収縮性の円筒状フィルムを用いて固定したもの等がある。
【０００４】
そして、このようなカバーフィルム等により容器本体と蓋体とを一体に覆って、フィルムを容器本体に固定したものは、容器を開封して使用する際には、フィルムを破断して蓋体を露出させてから蓋部を開封しなければならない。
しかし、上記ラベルやカバーフィルム等が透明なものであれば、蓋体と容器本体との境界部分が外部から確認できるが、着色したり印刷を施したりして、不透明な場合には境界部分を外部から確認することができないので、容器を開封する際にカバーフィルム等を適切な破断部で切断することが困難である。
【０００５】
そこで、このような容器本体と蓋体とをカバーフィルム等により覆って一体包装された不正開封防止片付き容器、所謂バージンプルーフ容器に於いては、容器本体と蓋体との境界部分が見分けられるようにした破断部が形成されていて、当該部分が容易に破断できるように切断手段を設けることが考えられている。
例えば、バージンフィルム等で覆われた筒状容器の容器本体と蓋体との境界部分のフィルム面に点線状のミシン目を形成しておいて、当該部分に着色した切断表示部を設けたり、または、バージンフィルムあるいはラベル等の容器本体と蓋体との境界部分に周方向に連続した帯状の破断部を形成して、当該部分に切断用の着色した帯体や紐体を添設して、容易に切断できるようにすることである。
【０００６】
そこで、本願出願人は、容器を包装固定したバージンフィルムまたはラベル等を容器の容器本体と蓋体との境界部分で、的確で且つ簡単に破断できるための切断手段を設けた容器として、下記に示すようなものや、その他の具体的な例を先行発明として特願平８−３６９０７号に提案している。
即ち、図４に示すように、容器本体１２の上端に注出口を有し、該注出口着脱自在に蓋体１３を設けた筒状容器１１に於いて、閉蓋した状態で蓋体周面及び容器本体周面をバージンフィルム等１５で覆って少なくとも容器本体１２に接着固定して、容器本体１２と蓋体１３との接続部分を覆うフィルム部位に、外部からの負荷によって切断可能なミシン目またはくの字状のスリット等からなる環状の破断部１５ｂを設けておいて、容器本体を片手で固定した状態で蓋体１３を開封方向へ捩じることにより破断部を切断可能にした不正開封防止片１５ａを設けたカバーフィルム付き容器１１を構成したものである。
【０００７】
あるいは、図５に示すように、容器を覆って包装するバージンフィルムあるいはラベル等１５の容器本体１２と蓋体１３との接続部分１６に沿って周方向に連続した帯状となした破断部を設けて、該帯状破断部の上縁部と下縁部にスリット１５ｅ，１５ｆを周方向に連続して形成して、該破断部の一端部には切断用の把持部１５ｇを側方に延出させて形成しておいて、該把持部１５ｇを周方向に沿って引っ張ることにより前記破断部の両縁部を切断するようにした不正開封防止片１５ａを設けたカバーフィルム付き容器としたものである。
【０００８】
しかし、上記した先行発明は、容器本体１２と蓋体１３との接続部分１６で容器面とラベルやフィルムとの間に隙間や段差が生じている場合には、容器を覆っているラベルやフィルムの前記隙間部分近くに皺１５ｊが発生し易くて、製品の見栄えが悪くなって、不良品として扱われることになる。
また、ラベルやフィルムが不透明な場合を除き、容器本体１２と蓋体１３との接続部分１６が確認しにくくて、また、ミシン目１５ｂ等の破断線が設けられていてもミシン目が見えにくい場合がある。
【０００９】
【発明が解決しようとする課題】
ラベルやバージンフィルム等で覆われた容器の容器本体と蓋体との接続部分が段差があってもラベルやフィルム面に皺が生ずることもなく、また、ラベルやフィルムが透明、不透明であるに関わらず容器本体と蓋体との間がわかり易くすると共に、ミシン目その他の破断部が見え易いように形成して、破断部が容易に切断されるようにして未開封か開封済みかを容易に判断できるようにする。
【００１０】
【課題を解決するための手段】
上端部に注出口を有する筒状の容器本体と該注出口に着脱自在に設けた蓋体とからなる筒状容器に、閉蓋した状態で蓋体周面及び容器本体周面をラベルやバージンフィルム等で筒状に覆って接着固定すると共に、蓋体と容器本体との接続部に環状の破断部を形成して不正開封防止付き容器を構成して、ラベルやバージンフィルム等の前記接続部分に熱風を吹き付けて収縮させて窪ませてることにより蓋体と容器本体との段差を無くすと共に、蓋体と容器本体との接続部がわかる位置に破断部を設ける。
【００１１】
【発明の実施の形態】
筒状をした容器またはチューブ等の本体部２Ａ，２Ｂと該容器の注出口に着脱自在に設けた蓋部３とからなる筒状容器１Ａ，１Ｂに、蓋部と容器本体部の周面を切断手段を設けたラベル５等で筒状に覆って一体に接着固定する。
次いで、上記筒状をした容器のラベル５面に適当な温度の熱風を吹き付けて、該ラベル  の蓋部と本体部との接続部分覆った部分が蓋部３と本体部２Ａとの隙間に窪むように収縮させることにより蓋部と本体部との境目に段差がないように形成すると共に、ラベル面に設けられたミシン目等の破断部５ｂが蓋部と本体部との境目６の窪みに存在するように形成して、不正開封防止片付きの筒状またはチューブ状容器を構成する。
上記のように構成をした容器は、容器本体部２Ａ，２Ｂを片手で持って他方の手でラベル５の上から蓋部３を捩じることによりラベルがミシン目５ｂでたやすく切断されて蓋部３と一緒に回転して開封される。
【００１２】
【実施例】
本願発明の容器の特徴について最適な実施例に基づいて図面を参照しつつ以下に説明する。
本願発明は、図１乃至２に示すように、チューブ状をした容器本体２Ａの上端部に形成した口頸部４に螺合せしめた蓋体３とからなる容器の周面に不正開封防止片５ａが設けられたラベル５は、接着剤等５ｃにより円筒状に曲げられて容器本体と蓋体の周面に貼付した後、ラベル表面に熱風を吹き付けて加熱することにより収縮せしめて、容器本体２Ａと蓋体３とが接合した隙間部分６のラベル面が凹状に窪んで、ラベル５が容器の全周面に隙間無く密着するように固定する。
【００１３】
このようにしてラベル５を容器に密着させて固定する場合には、予めラベルの上端寄りに設けられた破断用のミシン目５ｂは、容器本体２と蓋体３とが接続する境界部分６に位置して、前記凹状部の底面に形成されるように不正開封防止片付きのチューブ状容器１が構成される。
この実施例に於いて用いたラベル５は、切断手段として設けたミシン目５ｂより上端に位置する不正開封防止片５ａを蓋体３の全周面に接着せしめるようにしたものであるが、不正開封防止片５ａを蓋体３の全周面に設ける必要がない場合には、ラベルは次のような構成とすることも可能である。
【００１４】
図３に示すように、ラベルや包装フィルムに設けられる不正開封防止片５ａは、容器の蓋部３の全周側の５分の１程度の幅が接着されていれば充分に不正開封を防止する機能を果たすことが可能であることから、印刷等を施したラベル５は、その上端縁の適当な位置、例えば、側端部または中寄り部分に、前記不正開封防止片５ａの相当幅を残して、ラベル５の容器本体２の肩部より上端を切除した形状となして、該ラベル５を筒状をした容器の本体部２の全周面に貼付すると共に、蓋部３及び接続部６の一部に不正開封防止片５ａを貼付した後、ラベル表面に熱風を吹き付けて加熱することにより収縮せしめて、前記接続部６に隙間無く不正開封防止片５ａを凹状に密着させた不正開封防止片付きの筒状容器に構成される。
【００１５】
上記のように構成された本願発明の不正開封防止片付きの筒状容器は、不正開封防止片５ａをラベル５から切り離すためのミシン目５ｂを形成した破断部が、容器本体と蓋部との接続部６の上にあるので、この容器を開封して使用するには、容器本体部を片手で持って固定し、他方の手でラベル５の上から蓋部３を把持して捩じれば、不正開封防止片５ａは前記ミシン目５ｂ部で必ず切断されて蓋部３と一緒に回転して開封されて、容器の内容物が注出可能になる。
【００１６】
また、上記の実施例に於いては、ラベルまたはカバーフィルムとして図２乃至図３に示すように、概略長方形をした素地の上端寄りにミシン目５ｂからなる破断線を設けて不正開封防止片５ａを形成したものを用いているが、本願の発明はこのようなラベルまたはカバーフィルムに限られるものではなく、図５に見るような、概略長方形をした素地の上端寄りに、上縁部と下縁部にスリット１５ｅ，１５ｆを形成して帯状破断部を設けて不正開封防止片５ａを形成して、該帯状端部に把持部１５ｇを側方に延出して設けたラベルまたはカバーフィルムを用いることも可能である。
【００１７】
即ち、上記のようなラベルまたはカバーフィルムを筒状容器の本体と蓋部との接続部６上に前記帯状破断部が存するように容器本体と蓋体との周面に貼付した後、前記ラベルまたはカバーフィルムを加熱して前記接続部に凹状に密着せしめた不正開封防止片付きの筒状容器とすることができる。
そして、このような不正開封防止ラベルを貼付した容器を開封するには、前記破断用の把持片を指先で摘んで引っ張り上げることによりラベルを切断した後、容器の蓋を回転させて開封することができる。
【００１８】
【発明の効果】
本願の発明は、ラベルまたはカバーフィルムを筒状の容器本体と蓋体の周面に筒状に接着固定したものを熱風により加熱収縮させたことにより、ラベルと容器との間の隙間をなくすようにラベルは容器本体と蓋体との接続部で凹状に窪んで密着する。
そして、ラベルが容器本体から不用意に脱落することがないばりか、ラベルに設けた不正開封防止片の破断部が前記凹状部に位置するように設けることができるので、蓋を捩じって開封する際に、確実に且つ容易に破断部で切断することができる。
従って、ラベルの破断部が切断された否かが明確に分かるので、容器が未開封であるか開封済みであるかが容易に判別することができる。
【図面の簡単な説明】
【図１】本願発明の第１実施例を示す斜視図である。
【図２】第１実施例に於けるラベルの貼付過程を示す図である。
【図３】本願発明の第２実施例を示す斜視図である。
【図４】本願発明の先行例を示す斜視図である。
【図５】本願発明の第２の先行例におけるラベルの貼付過程を示す図である。
【符号の説明】
１Ａ  チューブ状容器
１Ｂ  筒状容器
２Ａ  チューブ状容器本体
２Ｂ  筒状容器本体
３    蓋体
４    口頸部
５    ラベルまたはカバーフィルム
５ａ  不正開封防止片
５ｂ  ミシン目
６    容器本体と蓋体との接続部
【図１】
0004247726.tif 000002
【図２】
0004247726.tif 000003
【図３】
0004247726.tif 000004
【図４】
0004247726.tif 000005
【図５】
0004247726.tif 000006